(57)【要約】【課題】  複数のチャンネルの内の２つ以上のチャンネルをまとめて一括操作する機能から所望のチャンネルを簡単に切り離す。【解決手段】  チャンネルの主要なパラメータを操作する操作子を備えるチャンネルストリップ７０に、アイソレイトスイッチ７１を設ける。アイソレイトスイッチ７１を操作してオンすると、当該チャンネルストリップ７０に割り当てられているチャンネルが、シーンリコールやチャンネルリンクから一括して切り離されるようになる。【選択図】  図５
2010212933.tif 000002
【特許請求の範囲】
【請求項１】
チャンネルごとに設定されたパラメータに従って、複数のチャンネルにおける信号にそれぞれ信号処理を行う信号処理部と、
前記複数のチャンネルの内の２つ以上のチャンネルをまとめて一括操作する複数の機能の１つずつを、チャンネルごとに設定することのできる機能設定部と、
チャンネルに対して、前記機能から切り離すことができる切離スイッチとを備え、
前記切離スイッチが前記機能から切り離すように操作された際に、該切離スイッチに対応するチャンネルにおいて設定されている前記複数の機能の切り離しが一括して行われることを特徴とするオーディオ信号処理装置。
【発明の詳細な説明】
【技術分野】
【０００１】
この発明は、２つ以上のチャンネルをまとめて一括操作する複数の機能からチャンネルを簡単に切り離せるオーディオ信号処理装置に関する。
【背景技術】
【０００２】
従来、オーディオ信号処理装置の一つとして、多数のマイクロホンあるいは電気・電子楽器などから出力されるオーディオ信号のレベルや周波数特性を調整してミキシングし、パワーアンプに送り出すコンサートホール等で使用されるミキシング装置が知られている。ミキシング装置を操作するオペレータは、楽器の演奏音やボーカルの各オーディオ信号の音量や音色を、ミキシング装置における各種パネル操作子を操作することにより、演奏を最もふさわしく表現していると思われる状態に調整している。ミキシング装置は、入力信号系列として複数の入力チャンネルと該入力チャンネルから出力される信号をミキシングするバスと、ミキシングされた信号を出力する出力系列である出力チャンネルを備えている。各入力チャンネルはそれぞれ入力する信号の周波数特性やミキシングレベル等を制御して各ミキシングバスに出力し、各ミキシングバスはそれぞれ入力する信号をミキシングして対応する出力チャンネルに出力する。出力チャンネルからの出力は増幅されてスピーカ等から放音される。
【先行技術文献】
【特許文献】
【０００３】
【特許文献１】特開２００６−２６２０７９号公報
【発明の概要】
【発明が解決しようとする課題】
【０００４】
従来のミキシング装置においては、パネルに設けられているフェーダ、ノブやスイッチ等の操作子により設定された全パラメータを、シーンデータとしてシーンメモリ等にストアすることができる。シーンデータの各々にはシーン番号が付与されてストアされ、シーン番号を指定してリコール操作することにより、指定されたシーン番号のシーンデータが読み出され、そのシーンデータに応じた設定状態がミキシング装置で再現することができる。これにより、一度設定した会議室、宴会場、ミニシアターや多目的ホールまでの様々なシーンを再現することができるようになる。ところで、シーンリコールをする際に、あるチャンネルについてはパラメータ値をリコールしたくない場合がある。このような場合に備えて、従来は特定のチャンネルのパラメータをリコールしないリコールセーフ機能が設けられている。リコールセーフする場合は、リコールセーフ機能のエディット画面へ移行して、リコールセーフしたいチャンネルを選択してリコールセーフをセットすることで、シーンリコールされた際に当該チャンネルのパラメータがリコールされず変化しないようになる。
【０００５】
また、従来のミキシング装置においてはチャンネルリンク機能が備えられている。チャンネルリンクでは、２つ以上のチャンネルをリンクさせたチャンネルリンクグループが作成され、チャンネルリンクグループに属する複数のチャンネルのフェーダ操作やイコライザなどのパラメータを連動（ リンク）させて操作することができる。すなわち、チャンネルリンクされたチャンネルの内の一つのチャンネルにおいてパラメータを操作すると、チャンネルリンクされた他のチャンネルにおける同じパラメータが連動して操作されるようになる。チャンネルリンクの設定は、シーンの一部として保存されるが、チャンネルリンクはリコールセーフの対象にはされておらず、シーンリコールすると、必ずリンクの状態が再現されるようになる。さらに、従来のミキシング装置においては、複数のチャンネルを１グループとするＤＣＡ（Digital Controlled Amplifire）グループと呼ばれるチャンネルグループを作成することができ、ＤＣＡグループに属している複数のチャンネルのレベル操作を一括して操作することができる機能を有している。さらにまた、複数のチャンネルを１グループとするミュートグループと呼ばれるチャンネルグループを作成することができ、ミュートグループに属している複数のチャンネルのオン／オフを一括して切り替えることができる機能を有している。
【０００６】
しかしながら、チャンネルに問題が発生してシーンリコールから問題の発生したチャンネルを切り離す際には、リコールセーフ機能のエディット画面へ移行して、問題のチャンネルにリコールセーフをセットして、シーンリコール機能から切り離す必要があった。また、チャンネルリンクされたチャンネルに問題が発生して、チャンネルリンク機能から問題が発生したチャンネルを切り離す際には、リコールセーフのセットとは別に、チャンネルリンク機能のエディット画面へ移行して、問題のチャンネルをチャンネルリンク機能から切り離すように設定する必要があった。さらに、ＤＣＡグループやミュートグループからチャンネルを切り離す場合も、その機能のエディット画面へ移行して切り離す必要があった。このように、問題発生後に安全な状態をセットするまでに大変な手間と時間がかかり、迅速に安全な状態をセットすることができないと云う問題点があった。
そこで、本発明は、複数のチャンネルの内の２つ以上のチャンネルをまとめて一括操作する複数の機能から、所望のチャンネルを簡単に切り離すことができるオーディオ信号処理装置を提供することを目的としている。
【課題を解決するための手段】
【０００７】
上記目的を達成するために、本発明のオーディオ信号処理装置は、複数のチャンネルの内の２つ以上のチャンネルをまとめて一括操作する複数の機能の１つずつを、チャンネルごとに設定することができ、１つのチャンネルに対して、機能から切り離すことができる切離スイッチが操作された際に、該切離スイッチに対応するチャンネルにおいて設定されている複数の機能の切り離しが一括して行われることを最も主要な特徴としている。
【発明の効果】
【０００８】
本発明によれば、１つのチャンネルに対して、機能から切り離すことができる切離スイッチが操作された際に、該切離スイッチに対応するチャンネルにおいて設定されている複数の機能の切り離しが一括して行われることから、複数のチャンネルの内の２つ以上のチャンネルをまとめて一括操作する複数の機能から、所望のチャンネルを簡単に切り離すことができるようになる。これにより、問題発生時に問題チャンネルの切り離しを簡単、迅速、正確に行うことができるようになり、問題発生時に迅速に安全な状態をセットでき、システムの安全性を高められるようになる。
【図面の簡単な説明】
【０００９】
【図１】本発明のオーディオ信号処理装置の実施例であるミキシング装置の構成を示すブロック図である。
【図２】本発明にかかるミキシング装置の信号処理部で行われるミキシング処理と、該ミキシング処理に接続された波形Ｉ／Ｏの入出力ポートの等価的な機能ブロック図である。
【図３】本発明にかかるミキシング装置のパネルの構成を示す図である。
【図４】本発明にかかるミキシング装置のパネルの一部を拡大して示す図である。
【図５】本発明にかかるミキシング装置のパネルにおけるチャンネルストリップの構成を拡大して示す図である。
【図６】本発明にかかるミキシング装置における表示器に表示されるアイソレイトアイコンの構成を示す図である。
【図７】本発明にかかるミキシング装置において実行されるアイソレイトスイッチ処理のフローチャートである。
【図８】本発明にかかるミキシング装置において設定されているアイソレイトフラグのテーブルを示す図である。
【図９】本発明にかかるミキシング装置において実行されるシーンリコール処理のフローチャートである。
【図１０】本発明にかかるミキシング装置において実行されるチャンネルリンク処理のフローチャートである。
【発明を実施するための形態】
【００１０】
本発明のオーディオ信号処理装置の実施例であるミキシング装置の構成を示すブロック図を図１に示す。
図１に示す本発明の実施例に係るミキシング装置１において、ミキシング装置１の全体の動作を制御すると共に、パネルに設けられている各種操作子の操作に応じた制御信号を生成しているＣＰＵ（Central Processing Unit）１０と、ＣＰＵ１０が実行するミキシング制御プログラム等の動作ソフトウェアが格納されている書き換え可能な不揮発性のフラッシュメモリ１１と、ＣＰＵ１０のワークエリアや各種データ等が記憶されるＲＡＭ（Random Access Memory）１２を備えている。このように、フラッシュメモリ１１に動作ソフトウェアを格納することにより、フラッシュメモリ１１内の動作ソフトウェアを書き換えることで、動作ソフトウェアをバージョンアップすることができる。また、ディジタルレコーダ等のその他の機器は、入出力インタフェースであるその他Ｉ／Ｏ  １３を介してミキシング装置１に接続される。
【００１１】
表示器１４は、後述する割当型ストリップに割り当てられた各チャンネルのパラメータを設定する設定画面を表示し、割当型ストリップにＤＣＡグループが割り当てられた際には、ＤＣＡグループに属するチャンネルを表示するタッチパネルとされた液晶表示器とされている。電動フェーダ１５は、入力チャンネルの信号あるいは出力チャンネルの信号のレベルを調整するフェーダであり、手動および電動によりレベル調整することができる。操作子１６は、パネルに設けられているスイッチやノブ等の各種操作子や、タッチパネルとされている表示器１４のタッチスイッチ等である。ＣＰＵ１０は、操作子１６を走査することによってスイッチやノブあるいはタッチパネルのイベントを検出して、イベントのあった操作子１６に対応するイベントを検出している。ミキシング装置１における全ての入力と全ての出力は波形Ｉ／Ｏ（波形データインタフェース）１７により行われる。この波形Ｉ／Ｏ１７は、アナログ信号が入力される複数のＡ入力ポートと、アナログ信号が出力される複数のＡ出力ポートと、外部からディジタル信号を入力すると共に外部へディジタル信号を出力する双方向とされている複数のＤ入力／Ｄ出力ポートとを備えている。
【００１２】
また、信号処理部（ＤＳＰ）１８は多数のＤＳＰ（Digital Signal Processor）を用いて構成されており、ＣＰＵ１０の制御の元でミキシング処理やエフェクト処理などを行っている。ＲＡＭ１２には、このミキシング処理やエフェクト処理を制御するための各種パラメータの、信号処理部１８に設定されている現在値を記憶しているカレント領域がある。ＣＰＵ１０は、操作子１６の操作に応じてＲＡＭ１２のカレント領域に記憶しているパラメータの現在値を変更する。当該変更が行われた時には、変更後の現在値を信号処理部１８へ新たに設定することによって、信号処理部１８が行うミキシング処理やエフェクト処理の係数やアルゴリズムを制御する。この信号処理部１８においてミキシング処理されたミキシング信号をレコーダ１９に供給して記録することができると共に、レコーダ１９から再生したミキシング信号を信号処理部１８へ供給することができる。この場合、レコーダ１９においてはミキシング信号を圧縮して記録し、再生したミキシング信号を伸張して出力することができるようにされている。なお、ミキシング装置１の各部はコントロールバス、アドレスバスおよびデータバスからなる通信バス２０により相互にデータの授受を行っている。
【００１３】
次に、本発明にかかる図１に示す構成のミキシング装置１の信号処理部１８で行われるミキシング処理と、該ミキシング処理に接続された波形Ｉ／Ｏ１７の入出力ポートの等価的な機能ブロック図を図２に示す。
図２において、複数のアナログ入力ポート（Ａ入力）３０に入力された複数のアナログ信号は、波形Ｉ／Ｏ１７に内蔵されているＡＤ変換器によりディジタル信号に変換されて入力パッチ３２に入力される。また、複数のディジタル入力ポート（Ｄ入力）３１に入力された複数のディジタル信号は、そのまま入力パッチ３２に入力される。入力パッチ３２では、信号の入力元である複数の入力ポートの何れか１つの入力ポートを、例えば９６チャンネルとされる複数の入力ｃｈ部３３ａ，３３ｂ，・・・３３ｎの各入力チャンネル毎に選択的にパッチ（結線）することができ、各入力チャンネルには、入力パッチ３２でパッチされた入力ポートからの信号が供給される。
【００１４】
入力ｃｈ部３３ａ〜３３ｎにおける各入力チャンネルには、アッテネータ、イコライザ、コンプレッサやゲート、フェーダと、ミキシング（ＭＩＸ）バス３４ａ，３４ｂ，・・・３４ｋへの送り出しレベルを調整するセンド調整部が備えられており、これらの入力チャンネルにおいて、周波数バランスやレベル制御およびＭＩＸバス３４ａ〜３４ｋへの送出レベルが調整される。入力ｃｈ部３３ａ〜３３ｎから出力される９６チャンネルのディジタル信号は、それぞれＭＩＸ１〜９６の９６本のＭＩＸバス３４ａ〜３４ｋの１ないし複数に選択的に出力される。ＭＩＸバス３４ａ〜３４ｋにおいては、９６本の各バスにおいて、９６入力チャンネルのうちの任意の入力チャンネルから選択的に入力された１ないし複数のディジタル信号がミキシングされて、合計９６チャンネルのミキシング出力が出力ｃｈ部３５ａ，３５ｂ，・・・３５ｍに出力される。これにより、９６通りにミキシングされた９６チャンネルのミキシング出力を得ることができる。
【００１５】
出力ｃｈ部３５ａ〜３５ｍにおける各出力チャンネルには、アッテネータ、イコライザ、コンプレッサ、フェーダが備えられており、これらの出力チャンネルにおいて、周波数バランスやレベル調整および出力パッチ３６へ送出されるレベルが制御される。出力パッチ３６では、信号の入力元である出力ｃｈ部３５ａ〜３５ｍからの９６チャンネルのミキシング信号の何れか１つの出力チャンネルを、アナログ出力ポート部（Ａ出力）３７やディジタル出力ポート部（Ｄ出力）３８の各出力ポート毎に選択的にパッチ（結線）することができ、各出力ポートには、出力パッチ３６でパッチされた出力チャンネルからの信号が供給される。
また、複数のアナログ出力ポートを備えるアナログ出力ポート部（Ａ出力）３７へ供給されたディジタル出力信号は、波形Ｉ／Ｏ１７に内蔵されているＤＡ変換器によりアナログ出力信号に変換されてアナログ出力ポートから出力される。そして、アナログ出力ポート部（Ａ出力）３７から出力されるアナログ出力信号は、増幅されてメインのスピーカから放音される。さらに、このアナログ出力信号は出演者が耳に装着するインイヤーモニタに供給されたり、その出演者の近傍に置かれたステージモニタスピーカで再生される。また、複数のディジタル出力ポートを備えるディジタル出力ポート部（Ｄ出力）３８から出力されるディジタルオーディオ信号は、レコーダや外部接続されたＤＡＴ等に供給されてディジタル録音することができるようにされている。
【００１６】
本発明にかかるミキシング装置１は、複数のチャンネルをまとめて、それらのパラメータを一括して調整する（１つの操作で複数のチャンネルのパラメータを同時に調整する）機能を有する。シーン機能、チャンネルリンク機能、ＤＣＡグループ機能、ミュートグループ機能が、この機能に該当する。以下、これらの機能を総称して一括調整機能と呼ぶ。
シーン機能とは、シーンデータとして記憶している各種のパラメータの変更値を一括して読み出し、読み出した変更値に基づいて、カレント領域に記憶されている各種のパラメータの現在値を一括で調整する（現在値を変更値へ変更する）機能である。シーン機能には、ユーザが指定したチャンネルやパラメータに対して、シーンデータの変更値で現在値を変更することなく現在値を保持するリコールセーフ機能がある。チャンネルリンク機能とは、複数のチャンネルを１つのリンクグループとしてまとめ、そのリンクグループに属するチャンネルの各種のパラメータの値を一括して調整する機能である。詳細には、リンクグループに属する或るチャンネルの或るパラメータの現在値が変更されたときに（例えば、チャンネルストリップ部にある当該或るチャンネル用のフェーダを使って、前記或るチャンネルの信号レベルの現在値が変更されたときに）、そのリンクグループに属する残りの他のチャンネルの当該或るパラメータの現在値を、或るチャンネルの変更後の現在値と同じ値（あるいは或るチャンネルの変更量を加味した値）に書き換える機能である。
【００１７】
ＤＣＡグループ機能とは、複数のチャンネルを１つのＤＣＡグループとしてまとめ、そのＤＣＡグループに属するチャンネルの信号レベルの値を一括して調整する機能である。詳細には、ＤＣＡ用のフェーダ（割当型ストリップ部のフェーダ）を使って、ＤＣＡグループに属するすべてのチャンネルで共有するＤＣＡ信号レベルの値が変更されたときに、当該ＤＣＡグループに属するすべてのチャンネルについて、変更後のＤＣＡ信号レベルとチャンネルごとの信号レベルの現在値とから決定される値を、チャンネルごとの新たな信号レベルとして信号処理部１８へ設定する機能である。ＤＣＡ信号レベルの値が変更されたときに、カレント領域に記憶されている当該ＤＣＡグループに属する各チャンネルの信号レベルの現在値は書き換えられない。ミュートグループ機能とは、複数のチャンネルを１つのミュートグループとしてまとめ、そのミュートグループに属するチャンネルのミュートのオン／オフの状態を一括して調整する機能である。詳細には、或るミュートグループに対してミュートのオン／オフを切り替える指示を受けたときに（或るミュートグループ用のミュートスイッチが押されたときに）、そのミュートグループに属するすべてのチャンネルのミュートのオン／オフの現在値を、オンからオフ（あるいはオフからオン）へ書き換える機能である。
【００１８】
また、本発明にかかるミキシング装置１は、一時的に、或るチャンネルを当該チャンネルが属しているすべての一括調整機能から切り離す機能を有する。チャンネルを一括調整機能から切り離すとは、当該一括調整機能が実行された場合にその実行に伴うパラメータの調整を当該チャンネルに反映させないように設定すること、つまり、当該チャンネルについてはその実行に伴うパラメータの調整を無視あるいは無効化して、その実行に伴う影響を受けないように当該チャンネルを設定することである。以下、この機能をアイソレイト機能と呼ぶ。アイソレイト機能はチャンネルごとに設定することができる。アイソレイト機能がオンに設定されたチャンネルは、アイソレイト機能がオンされている間、当該チャンネルが属しているすべての一括調整機能から切り離される。また、当該チャンネルの一括調整機能に関する設定情報の内容が保持されたままで切り離される。つまり、切り離しが開始されたときに、ＲＡＭ１２に記憶されている各種の一括調整機能についての設定情報（シーン機能領域、チャンネルリンク機能領域、ＤＣＡグループ領域、ミュートグループ機能領域に記憶されている設定情報）は書き換えられない。
【００１９】
本発明にかかるミキシング装置１におけるパネルの構成を図３に示す。
図３に示すミキシング装置１のパネルには、右側の上部にタッチパネルとされている表示器１４が設けられ、表示器１４の下に選択チャンネル操作部５０および割当型ストリップ部５１とが設けられている。割当型ストリップ部５１の右側には割当選択部５２が設けられている。また、パネルの左半分の上側にはチャンネルストリップ部（上段）５３が設けられ、その下側にチャンネルストリップ部（下段）５４が設けられている。チャンネルストリップ部（上段）５３とチャンネルストリップ部（下段）５４とは、例えばそれぞれ３２本ずつチャンネルストリップが設けられており、図示しないレイヤースイッチで選択された３２個の入力チャンネルが１チャンネルストリップに１チャンネルずつ割り当てられる。チャンネルストリップ部（上段）５３とチャンネルストリップ部（下段）５４における各チャンネルストリップには、当該チャンネルストリップに割り当てられた入力チャンネルのボリュームを設定できるフェーダと、チャンネル番号やチャンネル名が表示される表示部と、その入力チャンネルを選択するＳＥＬスイッチおよびチャンネルをオン／オフするＯＮスイッチと、アイソレイト機能の開始あるいは停止を指示するアイソレイトスイッチ（ＩＳＯ）とが図示するように設けられている。
【００２０】
割当型ストリップ部５１は主要なパラメータを制御することのできる１６本のストリップ部からなり、割当型ストリップ部５１には、１６チャンネルを割当単位として入力チャンネルを割り当てることができると共に、最大１６グループとされるＤＣＡグループを割り当てることができるようにされている。表示器１４はタッチパネルとされており、ストリップ表示部１０２および選択チャンネル表示部１０３が表示される。ストリップ表示部１０２の各ストリップには、その直下のストリップ部に割り当てられている入力チャンネルネルにおいてチャンネルストリップ部５３，５４では操作することのできない細かいパラメータの操作子が表示されている。その詳細については後述する。割当型ストリップ部５１における各ストリップ部には割り当てられた入力チャンネル／ＤＣＡグループのレベル操作を行うフェーダと、チャンネル／グループ番号やチャンネル／グループ名が表示される表示部と、割り当てられたチャンネルを選択するＳＥＬスイッチおよびオン／オフするＯＮスイッチとパラメータを設定するノブとが設けられている。割当型ストリップ部５１への割り当ては割当選択部５２により行える。図示する例では、第１入力チャンネルないし第９６入力チャンネルを１６チャンネルずつに分割して割り当てるスイッチ（１−１６，１７−３２，３３−４８，４９−６４，６５−８０，８１−９６）と、最大１６グループとされたＤＣＡグループを割り当てるＤＣＡスイッチとが、割当選択部５２に設けられている。
【００２１】
ここで、チャンネルストリップ５３，５４より右側のパネルを拡大して図４に示し、この図に基づいて説明する。なお、図４における表示器１４の表示態様は、割当型ストリップ部５１に第１入力チャンネル（ＣＨ１）ないし第１６入力チャンネル（ＣＨ１６）が、割り当てられた場合の表示態様とされている。
割当選択部５２におけるスイッチ（１−１６）を操作するとＣＨ１〜ＣＨ１６が割当型ストリップ部５１における１６本の各割当型ストリップ５１−１，５１−２，・・・・５１−１６にそれぞれ割り当てられ、各割当型ストリップ５１−１〜５１−１６における表示部６５には、割り当てられた入力チャンネルの番号が表示される。１６本の割当型ストリップ５１−１〜５１−１６の構成は同様とされており、割当型ストリップ５１−１〜５１−１６にはパラメータの値を設定する調整ノブ６２と、各割当型ストリップに割り当てられた入力チャンネルをオン／オフするＯＮスイッチ６３と、割り当てられた入力チャンネルを選択するＳＥＬスイッチ６４と、チャンネル番号やチャンネル名が表示される表示部６５と、割り当てられた入力チャンネルのレベルを設定できるフェーダ摘みを備えるフェーダ６６とが設けられている。調整ノブ６２で設定するパラメータはストリップ表示部１０２において選択することができる。
【００２２】
図示するように縦に細長く形成されている１６本の割当型ストリップ５１−１〜５１−１６を延伸するように、ストリップ表示部１０２に１６本の対応するストリップ１０２−１，１０２−２，・・・１０２−１６が表示され、各ストリップ１０２−１〜１０２−１６には割り当てられた入力チャンネルの番号が表示される。ストリップ１０２−１〜１０２−１６における各ストリップにはイコライザのパラメータに対応するノブのアイコンが複数表示されている。このイコライザの構成は、選択チャンネル操作部５０に設けられているＥＱノブ５０ａと同様の機能のノブ構成とされており、ＥＱノブ５０ａにはHIGHバンドとHIGH MIDバンドとLOW MIDバンドとLOWバンドの４つの周波数帯域に分割した各バンドの選択度（Ｑ）とゲイン（Ｇ）とをそれぞれ設定するノブが合計８個設けられており、ストリップ１０２−１〜１０２−１６には対応するノブのアイコンが表示されている。この場合、タッチパネルとされているストリップ１０２−１〜１０２−１６において、設定したいパラメータのノブアイコンにタッチするとそのパラメータが選択されて、当該ストリップの直下に設けられている割当型ストリップ５１−１〜５１−１６における調整ノブ６２により当該選択されたパラメータを操作できるようになる。
【００２３】
また、チャンネルストリップ部（上段）５３とチャンネルストリップ部（下段）５４に設けられているいずれかのチャンネルストリップにおけるＳＥＬスイッチを操作すると、操作されたＳＥＬスイッチが設けられているチャンネルストリップに割り当てられている入力チャンネルが選択されたチャンネルとして選択チャンネル表示部１０３および選択チャンネル操作部５０に割り当てられる。あるいは、割当型ストリップ５１−１〜５１−１６におけるＳＥＬスイッチ６４のいずれかを操作すると、操作されたＳＥＬスイッチ６４が設けられている割当型ストリップ５１−１〜５１−１６に割り当てられている入力チャンネルが選択チャンネル表示部１０３および選択チャンネル操作部５０に割り当てられる。すると、選択チャンネル表示部１０３における図示しない操作子により選択された入力チャンネルのパラメータを操作することができると共に、選択チャンネル表示部１０３における表示アイコン（Ｓａｆｅ）１０３ｂに、選択されたチャンネルにおけるリコールセーフのオン／オフ状態が表示される。さらに、選択チャンネル表示部１０３に表示されているアイソレイトスイッチアイコン（ＩＳＯ）１０３ａにタッチすると選択された入力チャンネルに対してアイソレイト機能が開始される。
【００２４】
さらにまた、選択チャンネル操作部５０において、選択された入力チャンネルのイコライザのパラメータを８個のＥＱノブ５０ａにより設定できると共に、４個のエフェクトノブ５０ｂによりコンプレッサやディレイのパラメータを設定できるようになる。そして、選択チャンネル操作部５０に設けられている表示素子（Ｓａｆｅ）５０ｄに、選択されたチャンネルにおけるリコールセーフのオン／オフ状態が表示される。さらに、選択チャンネル操作部５０におけるアイソレイトスイッチ（ＩＳＯ）５０ｃを操作すると選択された入力チャンネルに対してアイソレイト機能が開始される。なお、表示アイコン（Ｓａｆｅ）１０３ｂおよびアイソレイトスイッチアイコン（ＩＳＯ）１０３ａと、表示素子（Ｓａｆｅ）５０ｄおよびアイソレイトスイッチ（ＩＳＯ）５０ｃとの一方を省略するようにしてもよい。
【００２５】
ここで、チャンネルストリップ部５３，５４に設けられている合計６４本のチャンネルストリップの構成は同様とされており、その構成が拡大されて図５に示されている。
図５に示すチャンネルストリップ７０には、一括調整機能から、チャンネルストリップ７０に割り当てられたチャンネルを切り離すアイソレイトスイッチ（ＩＳＯ）７１と、チャンネルストリップ７０に割り当てられた入力チャンネルをオン／オフするＯＮスイッチ７２と、割り当てられた入力チャンネルを選択するＳＥＬスイッチ７３と、チャンネル番号やチャンネル名が表示される表示部７４と、割り当てられた入力チャンネルのレベルを設定できるフェーダ摘み７５ａを備えるフェーダ７５とが設けられている。チャンネルストリップ７０におけるアイソレイトスイッチ（ＩＳＯ）７１を操作すると選択された入力チャンネルに対してアイソレイト機能が開始される。また、ＯＮスイッチ７２を操作してオフすると、操作されたＯＮスイッチ７２が設けられているチャンネルストリップ７０に割り当てられている入力チャンネルからMIX バス３４ａ〜３４ｋには一切信号が送られなくなる。さらにまた、フェーダ７５におけるフェーダ摘み７５ａを上下に操作すると、操作に応じて当該フェーダ７５が設けられているチャンネルストリップ７０に割り当てられている入力チャンネルのボリューム値が操作される。
【００２６】
ところで、表示器１４の選択チャンネル表示部１０３に表示アイコン（Ｓａｆｅ）１０３ｂおよびアイソレイトスイッチアイコン（ＩＳＯ）１０３ａを表示する替わりに、表示器１４の任意の箇所に図６に示すアイソレイトアイコン１０４を固定的に表示するようにしてもよい。アイソレイトアイコン１０４は、図６に示すようにアイソレイトスイッチ部（ＩＳＯ）１０４ａと、チャンネル選択部（ＣＨ）１０４ｂとから構成されている。そして、アップ／ダウンボタン１０４ｃを操作して所望のチャンネルのチャンネル番号をチャンネル選択部（ＣＨ）１０４ｂに表示させ、アイソレイトスイッチ部（ＩＳＯ）１０４ａにタッチする。これにより、チャンネル選択部（ＣＨ）１０４ｂに表示されて選択されたチャンネルに対してアイソレイト機能が開始される。
【００２７】
次に、ミキシング装置１の制御部とされるＣＰＵ１０が実行するアイソレイトスイッチ処理のフローチャートを図７に示す。説明を簡単にするために、本実施例では、アイソレイト機能の処理対象となる一括調整機能をシーン機能とチャンネルリンク機能の２つとして説明する。アイソレイトスイッチ処理は、チャンネルストリップ７０に設けられているアイソレイトスイッチ（ＩＳＯ）７１、選択チャンネル操作部５０に設けられているアイソレイトスイッチ（ＩＳＯ）５０ｃが操作されたり、選択チャンネル表示部１０３に設けられているアイソレイトスイッチアイコン（ＩＳＯ）１０３ａにタッチされた際に起動される。
アイソレイトスイッチ処理が起動されると、ステップＳ１０にて操作あるいはタッチされたアイソレイトスイッチ（ＩＳＯ）５０ｃ，７１あるいはアイソレイトスイッチアイコン（ＩＳＯ）１０３ａに割り当てられているチャンネルが処理対象として決定され、処理対象のチャンネルについて、後述する図８におけるアイソレイトのフラグのオン／オフ状態が現在と反対の状態へ（現在がオンならオフへ、現在がオフならオンへ）切り替えられる。ここで、オンからオフへ切り替えられた場合は処理対象のチャンネルについて起動していたアイソレイト機能が停止されることになり、オフからオンへ切り替えられた場合は処理対象のチャンネルについて新たにアイソレイト機能を開始することになる。次いで、処理対象のチャンネルに新たに設定されたフラグの状態がオフか否かがステップＳ１１にて判断される。ここで、処理対象のチャンネルに新たに設定されたフラグの状態がオフと判断された場合は、アイソレイト機能の停止が指示されたと判断して、処理対象となる一括調整機能それぞれについてアイソレイト終了処理を行う。シーン機能についてはアイソレイト終了処理として実行する処理はない。チャンネルリンク機能についてはアイソレイト終了処理として実行する処理があり、ステップＳ１２に進み、ＲＡＭ１２のチャンネルリンク領域に記憶されている設定情報を参照して、処理対象のチャンネルがチャンネルリンクグループに属しており、チャンネルリンクされているかが調べられる。そして、調べた結果、処理対象のチャンネルがチャンネルリンクされているか否かがステップＳ１３にて判断される。
【００２８】
ここで、処理対象のチャンネルがチャンネルリンクされていると判断された場合は、チャンネルリンク機能についてのアイソレイト終了処理としてステップＳ１４の処理を実行する。そこで、ステップＳ１４に進み処理対象のチャンネルにチャンネルリンクされている他のチャンネルの１つを、チャンネルリンク領域に記憶されている設定情報を参照して抽出する。抽出したチャンネルの各種のパラメータのうち、チャンネルリンクされている複数のチャンネル間で、その現在値を同一とするように調整する種類のパラメータを抽出し、当該パラメータの現在値をコピーして、コピーした値を処理対象のチャンネルの当該パラメータの現在値へ上書きする。ここで、各種のパラメータのうち、チャンネルリンクされている複数のチャンネル間で、その現在値を同じ増減量だけ調整する種類のパラメータについては何らの処理も行わない。そして、ステップＳ１４におけるチャンネルリンク機能についてのアイソレイト終了処理が完了した後、あるいは、ステップＳ１３にて処理対象のチャンネルがチャンネルリンクされていないと判断された場合、アイソレイトスイッチ処理は終了する。また、ステップＳ１１にて処理対象のチャンネルに新たに設定されたフラグの状態がオンと判断された場合は、アイソレイト機能の開始が指示されたと判断して、処理対象となる一括調整機能それぞれについてアイソレイト機能の開始処理を行う。しかし、シーン機能とチャンネルリンク機能はいずれもアイソレイト開始処理として実行する処理がないため、なんらの処理もすることなくアイソレイトスイッチ処理を終了する。
【００２９】
上記したアイソレイトスイッチ処理が行われることにより、各チャンネルにアイソレイトの状態を示すフラグが設定されるようになる。設定された各チャンネルのアイソレイトフラグの状態はテーブルに格納され、アイソレイト機能に関する設定情報としてＲＡＭ１２のアイソレイト機能領域に記憶される。このテーブルの一例を図８に示す。テーブルは、各チャンネルのチャンネル番号と、チャンネル番号に対応するオン／オフのいずれかとされたアイソレイトフラグから構成されている。図８に示す例では、チャンネル１，２，４，・・・，９６のアイソレイトフラグがオフとされており、これらのチャンネルにおいてチャンネルリンクグループ、ＤＣＡグループやミュートグループの機能が設定されていた場合は、それらの機能が有効になっていると共に、シーンリコール時に処理対象のチャンネルのパラメータがリコールされるようになる。また、残るチャンネルにおいてはアイソレイトフラグがオンとされており、これらのチャンネルにおいてはリコールセーフされると共に、設定されているチャンネルリンクグループ、ＤＣＡグループやミュートグループから一括してチャンネルが切り離されている。
【００３０】
ここで、シーン機能の動作について説明する。ユーザによってシーンストアが指示されると、ＲＡＭ１２のカレント領域に記憶されているパラメータのうち、ミキシング装置１の信号処理部１８を制御する全てのパラメータの現在値を１つのシーンデータにまとめて、シーン機能に関する設定情報としてＲＡＭ１２のシーン機能領域に記憶する。シーン機能領域には、複数個のシーンデータを記憶でき、それぞれのシーンデータは固有のシーン番号を持つ。また、リコールセーフ機能の制御対象としてユーザが指定したチャンネルやパラメータを表す情報も、シーン機能に関する設定情報として記憶される。
【００３１】
次に、ミキシング装置１の制御部とされるＣＰＵ１０が実行するシーンリコール処理のフローチャートを図９に示す。
シーン番号を指定してリコール操作することにより、シーンリコール処理が起動される。リコール操作は、表示器１４にシーンリコールの設定画面を表示してシーン番号を選択してリコールボタンにタッチしたり、パネルに設けられている図示しないリコールキーを操作することにより行われる。シーンリコール処理が起動されると、指示されたシーンデータをステップＳ２０にてシーンリコールで用いるデータとして設定する。次いで、ステップＳ２１にてアイソレイトされているチャンネルを図８に示すテーブルのアイソレイトフラグの状態を参照して特定し、アイソレイトされているチャンネルをシーンリコールから切り離すよう設定する。そして、ステップＳ２１における設定を踏まえて、シーンリコールを開始する。これにより、シーンリコールされた際にアイソレイトされたチャンネルのパラメータはリコールされず、その現在値が設定されたシーンデータに基づいて変化しないようになる。また、リコールセーフ機能をミキシング装置１が有している場合は、シーンリコール処理において、リコールセーフされているチャンネルを特定し、リコールセーフされているチャンネルをシーンリコールから切り離すように設定することで、リコールセーフ機能が設定されているチャンネルのパラメータはシーンリコール時にリコールされない、つまり、その現在値を設定されているシーンデータに基づいて変化しないようにする。そして、アイソレイトされているチャンネルおよびリコールセーフされているチャンネル以外の残りのチャンネルについては、それらのチャンネルのパラメータがリコールされ、その現在値が設定されているシーンデータに基づいて変化するようになる。
【００３２】
また、チャンネルリンク機能の動作について説明する。ユーザによってチャンネルリンクする複数のチャンネルが指示されると、指示された複数のチャンネルを１つのまとまり（１つのチャンネルリンクグループ）としてチャンネルリンクすることを表す情報を、チャンネルリンク機能に関する設定情報としてＲＡＭ１２のチャンネルリンク機能領域に記憶する。ちなみに、チャンネルリンク機能領域に記憶できるチャンネルリンクグループの数は１つに限られるものではない。チャンネルリンク機能では、現在値のチャンネルリンクの方法によって、パラメータが２種類に分けられている。１つ目は、チャンネルリンクされている複数のチャンネル間で、その現在値を同一とするように調整する種類のパラメータであり、２つ目は、チャンネルリンクされている複数のチャンネル間で、その現在値を同じ増減量だけ調整する種類のパラメータである。パラメータの現在値をチャンネルリンクするときには、処理対象のパラメータの種類に応じたいずれか一方の方法で、チャンネルリンクグループに属する各チャンネルの当該パラメータの現在値を変更する。
【００３３】
次に、ミキシング装置１の制御部とされるＣＰＵ１０が実行するチャンネルリンク処理のフローチャートを図１０に示す。
チャンネルストリップ部５３，５４に設けられているいずれかのチャンネルストリップにおける操作子が操作された際にチャンネルリンク処理が起動され、ステップＳ３０にて操作された操作子が設けられているチャンネルストリップに割り当てられているチャンネルのアイソレイトの状態が確認される。この場合、図８に示すテーブルが参照されて当該チャンネルのアイソレイトフラグのオン／オフ状態が確認される。次いで、ステップＳ３１にてチャンネルストリップに割り当てられているチャンネルのアイソレイトフラグがオンか否かが判断される。ここで、当該チャンネルのアイソレイトフラグがオンと判断された場合は、チャンネルリンクグループから当該チャンネルは切り離されることからステップＳ３２へ進む。ステップＳ３２では、操作された操作子が設けられているチャンネルストリップに割り当てられているチャンネルについて、操作された操作子に対応する処理対象のパラメータの現在値を、今回の操作内容に基づいて変更し、チャンネルリンク処理は終了する。これにより、アイソレイトフラグがオンとされているチャンネルが割り当てられているチャンネルストリップにおける操作子を操作すると、当該チャンネルがチャンネルリンクグループに属していても、当該チャンネルにおいてだけ操作された操作子に対応するパラメータの値が変更されるようになる。
【００３４】
また、ステップＳ３１にてチャンネルストリップに割り当てられているチャンネルのアイソレイトフラグがオフと判断された場合は、チャンネルリンク機能が有効とされていることから、ステップＳ３３に分岐して、ＲＡＭ１２のチャンネルリンク機能領域に記憶されている設定情報を参照して、操作された操作子が設けられているチャンネルストリップに割り当てられているチャンネルがチャンネルリンクグループに属しているかが確認される。そして、ステップＳ３４にて当該チャンネルがチャンネルリンクグループに属しているか否かが判断される。ここで、当該チャンネルがチャンネルリンクグループに属していると判断された場合は、ステップＳ３５に進み、ＲＡＭ１２のチャンネルリンク機能領域に記憶されている設定情報を参照して、当該チャンネルと同じチャンネルリンクグループに属しているチャンネルを全て抽出する。そして、抽出したチャンネルの全てについて、アイソレイトの状態がステップＳ３６にて確認される。この場合、図８に示すテーブルが参照されて抽出された各チャンネルのアイソレイトフラグのオン／オフ状態が確認され、抽出されたチャンネルのうち、アイソレイトフラグがオフとされているチャンネルがステップＳ３７にて抽出される。次いでステップＳ３８にて、ステップＳ３７で抽出された全てのチャンネルにおいて、操作された操作子に対応する処理対象のパラメータの現在値を今回の操作内容に基づいて変更する。
【００３５】
次いで、ステップＳ３２に進み操作された操作子が設けられているチャンネルストリップに割り当てられているチャンネルについて、操作された操作子に対応する処理対象のパラメータの現在値を、今回の操作内容に基づいて変更し、チャンネルリンク処理は終了する。これにより、アイソレイトフラグがオフとされているチャンネルが割り当てられているチャンネルストリップにおける操作子を操作すると、当該チャンネルと同じチャンネルリンクグループに属しているチャンネルであってアイソレイトフラグがオフとされているチャンネルにおける操作された操作子に対応するパラメータの値が連動して変更されるようになる。ステップＳ３４にて当該チャンネルがチャンネルリンクグループに属していないと判断された場合は、ステップＳ３１でＹＥＳと判断された場合と同じように、ステップＳ３２へ進み操作された操作子が設けられているチャンネルストリップに割り当てられているチャンネルのみについて、操作された操作子に対応する処理対象のパラメータの現在値を、今回の操作内容に基づいて変更する。
なお、ここでは説明をわかりやすくするために、チャンネルストリップにおける操作子が操作されたときに限定して、図１０のチャンネルリンク処理を説明したが、このチャンネルリンク処理はいずれかのチャンネルのいずれかのパラメータに対してその現在値の変更が指示されたときに起動するものである。
【００３６】
ここで、ＤＣＡグループ機能の動作について説明する。ユーザによってＤＣＡグループにまとめる複数のチャンネルが指示されると、指示された複数のチャンネルを１つのＤＣＡグループとすることを表す情報を、ＤＣＡグループ機能に関する設定情報としてＲＡＭ１２のＤＣＡグループ機能領域に記憶する。ＤＣＡグループは複数個つくることができる。ＤＣＡグループ機能がアイソレイト機能の処理対象とされている場合、ＤＣＡグループに属するチャンネルに対してアイソレイト機能の開始が指示されると（図７において、処理対象のチャンネルがＤＣＡグループに属するチャンネルであることを確認した後に、ステップＳ１１でＮＯと判断された場合）、ＤＣＡグループ機能についてのアイソレイト開始処理を実行する。このアイソレイト開始処理では、ＲＡＭ１２のカレント領域に記憶されている当該チャンネルのレベルの現在値を信号処理部１８へ新たに設定する。これにより、当該チャンネルのレベルが、ＤＣＡ信号レベルを加味していた値からＤＣＡ信号レベルを加味しない値へ変更されることになる。また、ＤＣＡグループに属するチャンネルに対してアイソレイト機能の終了が指示されると（図７において、処理対象のチャンネルがＤＣＡグループに属するチャンネルであることを確認した後に、ステップＳ１１においてＹＥＳと判断された場合）、ＤＣＡグループ機能についてのアイソレイト終了処理を実行する。このアイソレイト終了処理では、ＲＡＭ１２のカレント領域に記憶されている当該チャンネルのレベルの現在値に、当該チャンネルが属しているＤＣＡグループのＤＣＡ信号レベルの現在値を加味したレベルを信号処理部１８へ新たに設定する。これにより、当該チャンネルのレベルが、ＤＣＡ信号レベルを加味していなかった値からＤＣＡ信号を加味した値へ変更されることになる。
【００３７】
次いで、割当型ストリップ部５１のフェーダを使ってＤＣＡグループのＤＣＡ信号レベルが変更されたときの動作を説明する。フェーダの操作が検出されると、当該割当型ストリップに割り当てられているＤＣＡグループに属するチャンネルのうち、アイソレイトフラグがオフされているチャンネルを抽出する。この抽出は、ＲＡＭ１２のＤＣＡグループ機能領域に記憶されている設定情報と図８に示すテーブルを参照して行う。そして、抽出されたすべてのチャンネルについて、当該チャンネルのレベルの現在値にＤＣＡ信号レベルの新たな値を加味して、当該値を信号処理部１８へ設定する。ＤＣＡグループに属するチャンネルのうち、抽出されなかったチャンネルは、アイソレイト機能によってＤＣＡグループ機能から切り離されているため、ＤＣＡグループ機能の影響を受けないことになる。
【００３８】
次に、ミュートグループ機能の動作について説明する。ユーザによってミュートグループにまとめる複数のチャンネルが指示されると、指示された複数のチャンネルを１つのミュートグループとすることを表す情報を、ミュートグループ機能に関する設定情報としてＲＡＭ１２のミュートグループ機能領域に記憶する。ミュートグループは複数個つくることができる。ミュートグループ機能がアイソレイト機能の処理対象とされている場合、ミュートグループに属するチャンネルに対してアイソレイト機能の開始が指示されると（図７において、処理対象のチャンネルがミュートグループに属するチャンネルであることを確認した後に、ステップＳ１１でＮＯと判断された場合）、ミュートグループ機能についてのアイソレイト開始処理を実行する。また、ミュートグループに属するチャンネルに対してアイソレイト機能の終了が指示されると（図７において、処理対象のチャンネルがミュートグループに属するチャンネルであることを確認した後に、ステップＳ１１においてＹＥＳと判断された場合）、ミュートグループ機能についてのアイソレイト終了処理を実行する。しかし、ミュートグループ機能ではアイソレイト開始処理あるいはアイソレイト終了処理として実行する処理がないため、なんらの処理も行わない。
【００３９】
次いで、ミュートグループ用のミュートスイッチを使ってミュートのオン／オフが切り替えられたときの動作を説明する。ミュートスイッチの操作が検出されると、当該ミュートスイッチに割り当てられているミュートグループに属するチャンネルのうち、アイソレイトフラグがオフされているチャンネルを抽出する。この抽出は、ＲＡＭ１２のミュートグループ機能領域に記憶されている設定情報と図８に示すテーブルを参照して行う。そして、抽出されたすべてのチャンネルについて、当該チャンネルのミュートの現在値を反対の値に書き換えて（現在値がオンならオフへ、オフならオンへ書き換えて）、新たな値を信号処理部１８へ設定する。ミュートグループに属するチャンネルのうち、抽出されなかったチャンネルは、アイソレイト機能によってミュートグループ機能から切り離されているため、ミュートグループ機能の影響を受けないことになる。
【産業上の利用可能性】
【００４０】
以上説明した本発明において、チャンネルストリップ部には、入力チャンネルを割り当てるようにしたが、出力チャンネルも同様にして３２チャンネルずつ割り当てることができる。また、割当型ストリップ部には入力チャンネルやＤＣＡグループを割り当てられるようにしたが、出力チャンネルを割り当てるようにしても良い。出力チャンネルを、チャンネルストリップ部あるいは割当型ストリップ部に割り当てた場合は、入力チャンネルに行えた操作と同様の操作を出力チャンネルに対して行えるようになる。
また、チャンネルストリップ部は３２本ずつのチャンネルストリップを２段に設けていたが、任意の本数のチャンネルストリップを２段に設けるようにしても良い。また、割当型ストリップ部に設けられているストリップ部の本数も任意の本数とすることができる。この場合、ＤＣＡグループの設定可能な最大グループ数は、設けられたストリップ部の本数と同じとされる。
【００４１】
尚、アイソレイトフラグのオン／オフ状態を切り替える指示、つまり、アイソレイト機能の開始あるいは終了を指示する方法は、以上説明した、チャンネルごとに用意された操作子を使ってチャンネルごとに指示を行う方法には限られない。チャンネルを特定してそのチャンネルに対してアイソレイト機能の開始あるいは終了を指示できる方法であればどのような方法でもよい。例えば、チャンネルを特定する操作子と開始あるいは終了を指示する操作子を別々に用意したり、あるいは、複数のチャンネルを特定しておいてそれらのチャンネルに対して同時に開始あるいは終了を指示するようにしてもよい。
また、アイソレイト機能において切り離しの対象とする一括調整機能の種類や数は上述した実施例のものに限られない。複数（２つ以上）の一括調整機能を１つの操作で同時に切り離せるものであればよい。例えば、シーン機能とチャンネルリンク機能に加えてＤＣＡグループ機能やミュートグループ機能についても同時に切り離しを行うようにしたり、あるいは、複数ある一括調整機能の中から切り離す機能をユーザが選択し、アイソレイト機能の開始が指示されたときには、当該ユーザが選択した（複数の）一括調整機能から処理対象のチャンネルを切り離すようにしてもよい。
【符号の説明】
【００４２】
１  ミキシング装置、１０  ＣＰＵ、１１  フラッシュメモリ、１２  ＲＡＭ、１３  その他  Ｉ／Ｏ、１４  表示器、１５  電動フェーダ、１６  操作子、１７  波形  Ｉ／Ｏ、１８  信号処理部、１９  レコーダ、２０  通信バス、３０  アナログ入力ポート、３１  デジタル入力ポート、３２  入力パッチ、３３ａ〜３３ｎ  入力ｃｈ部、３４ａ〜３４ｋ  ＭＩＸバス、３５ａ〜３５ｍ  出力ｃｈ部、３６  出力パッチ、３７  アナログ出力ポート部、３８  ディジタル出力ポート部、５０  選択チャンネル操作部、５０ａ  ＥＱノブ、５０ｂ  エフェクトノブ、５０ｃ  アイソレイトスイッチ、５０ｄ  表示素子、５１  割当型ストリップ部、５１−１〜５１−１６  割当型ストリップ、５２  割当選択部、５３  チャンネルストリップ部、５４  チャンネルストリップ部、６２  調整ノブ、６３  ＯＮスイッチ、６４  ＳＥＬスイッチ、６５  表示部、６６  フェーダ、７０  チャンネルストリップ、７１  アイソレイトスイッチ、７２  ＯＮスイッチ、７３  ＳＥＬスイッチ、７４  表示部、７５  フェーダ、７５ａ  フェーダ摘み、１０２  ストリップ表示部、１０２−１〜１０２−１６  ストリップ、１０３  選択チャンネル表示部、１０４  アイソレイトアイコン、１０４ａ  アイソレイトスイッチ部、１０４ｂ  チャンネル選択部、１０４ｃ  アップ／ダウンボタン
【図１】
2010212933.tif 000003
【図２】
2010212933.tif 000004
【図３】
2010212933.tif 000005
【図４】
2010212933.tif 000006
【図５】
2010212933.tif 000007
【図６】
2010212933.tif 000008
【図７】
2010212933.tif 000009
【図８】
2010212933.tif 000010
【図９】
2010212933.tif 000011
【図１０】
2010212933.tif 000012